(57)【要約】【課題】防塵性能を高めた防塵ケース、光源装置及び投影装置を提供する。【解決手段】防塵ケースである光源ケース６１は、外周部に形成される蓋体載置面（第１の蓋体載置面６１５及び第２の蓋体載置面６２５）と、蓋体載置面の外周側に形成される壁部（第１の壁部６１７及び第２の壁部６２７）と、を有するケース本体６００と、複数の角部を有する蓋体本体（第１の蓋体本体６２ａ及び第２の蓋体本体６３ａ）と、蓋体本体の外周に形成されて壁部の内側面と当接した各弾性部６２ｂ，６３ｂを有し、蓋体載置面に載置された蓋体（第１の蓋体６２及び第２の蓋体６３）を備え、各弾性部６２ｂ，６３ｂは周方向の形状に複数の角部と直線部を含み、各弾性部６２ｂ，６３ｂの周方向の断面積は、直線部より角部の方が小さい。【選択図】  図３
2019061018.tif 000002
【特許請求の範囲】
【請求項１】
外周部に形成される蓋体載置面と、前記蓋体載置面の外周側に形成される壁部と、を有するケース本体と、
複数の角部を有する蓋体本体と、前記蓋体本体の外周に形成され前記壁部の内側面と当接した弾性部と、を有し、前記蓋体載置面に載置された蓋体と、
を備え、
前記弾性部は、周方向の形状に前記複数の角部と直線部とを含み、
前記弾性部の周方向の断面積は、前記直線部より前記角部の方が小さいことを特徴とする防塵ケース。
【請求項２】
前記壁部の内側面と前記弾性部が当接する当接部は、前記蓋体本体の外周端面部よりも上方に位置することを特徴とする請求項１に記載の防塵ケース。
【請求項３】
前記弾性部の前記直線部には、前記直線部の長手方向に所定の間隔で複数のリブまたは厚肉部が形成されていることを特徴とする請求項１または請求項２に記載の防塵ケース。
【請求項４】
前記弾性部は、外方向に膨出する膨出部が形成されて、該膨出部と前記壁部の前記内側面が当接することを特徴とする請求項１乃至請求項３の何れか記載の防塵ケース。
【請求項５】
前記蓋体は孔部が形成され、
前記孔部の外周部には、前記弾性部と接続して断面が凸状に形成される接続弾性部が形成されていることを特徴とする請求項１乃至請求項４の何れか記載の防塵ケース。
【請求項６】
請求項１乃至請求項５の何れか記載の防塵ケースと、
前記防塵ケース内に設けられた、光源と、複数の光学部材を有して前記光源からの光を導光する導光光学系と、
を備えることを特徴とする光源装置。
【請求項７】
請求項６に記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を備えることを特徴とする投影装置。
【発明の詳細な説明】
【技術分野】
【０００１】
本発明は、防塵ケース、光源装置及び投影装置に関する。
【背景技術】
【０００２】
電子機器や光学部材等の精密機器を備える装置では、これら精密機器をケースに収容し、このケースやその他の電源装置や冷却ファンを外装部材である筐体内部に納める場合がある。例えば、特許文献１で開示される投影装置は、上ケースと下ケースからなる筐体の内部に、各種回路基板や冷却ファンと共に光源ユニットケースや投影ユニットケースが収められる。
【０００３】
この投影装置における光源ユニットケースは、固体発光素子を備える青色光源装置や赤色光源装置、蛍光ホイール装置を備える緑色光源装置、各色光源装置からの光を導光する集光レンズやライトトンネル等の光学部材を備える導光光学系等が収容される。
【先行技術文献】
【特許文献】
【０００４】
【特許文献１】特開２０１５−２２２３０６号公報
【発明の概要】
【発明が解決しようとする課題】
【０００５】
近年、精密機器を備える装置の使用環境は防塵性が求められており、特許文献１に開示される投影装置では、精密機器が収容される光源ユニットケースに防塵性を高める措置が施される場合がある。例えば特許文献１の投影装置では、光源ユニットケースの天板の縁部にテープ状のシール部材を貼り付ける等の措置が施される。
【０００６】
しかしながら、光源ユニットケースの組み立て後にシール部材を貼り付ける場合には、製造に掛かる工数が増大すると共に、防塵性能が作業者の熟練度に左右されてしまうことがある。光源ユニットケースの天板の外周に、予めシール部材である弾性部材を取り付けておくことも考えられるが、角部や直線部が形成される形状の天板では、天板外周の場所によって防塵性能が異なってしまうことがある。
【０００７】
本発明は、以上の点に鑑み、防塵性能を高めた防塵ケース、光源装置及び投影装置を提供することを目的とする。
【課題を解決するための手段】
【０００８】
本発明に係る防塵ケースは、外周部に形成される蓋体載置面と、前記蓋体載置面の外周側に形成される壁部と、を有するケース本体と、複数の角部を有する蓋体本体と、前記蓋体本体の外周に形成され前記壁部の内側面と当接した弾性部と、を有し、前記蓋体載置面に載置された蓋体と、を備え、前記弾性部は、周方向の形状に前記複数の角部と直線部とを含み、前記弾性部の周方向の断面積は、前記直線部より前記角部の方が小さいことを特徴とする。
【０００９】
本発明に係る光源装置は、上述の防塵ケースと、前記防塵ケース内に設けられた、光源と、複数の光学部材を有して前記光源からの光を導光する導光光学系と、を備えることを特徴とする。
【００１０】
本発明に係る投影装置は、上述の光源装置と、前記光源装置からの光源光が照射され、画像光を形成する表示素子と、前記表示素子から出射された前記画像光をスクリーンに投影する投影側光学系と、前記表示素子と前記光源装置を制御する投影装置制御部と、を備えることを特徴とする。
【発明の効果】
【００１１】
本発明によれば、防塵性能を高めた防塵ケース、光源装置及び投影装置を提供することができる。
【図面の簡単な説明】
【００１２】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る光源装置の光源ケース内部の平面模式図である。
【図５】本発明の実施形態に係る光源ケースのケース本体を示す斜視図である。
【図６】本発明の実施形態に係る光源ケースの第1の蓋体と第２の蓋体を示す斜視図である。
【図７】本発明の実施形態に係る光源ケースのケース本体と第１の蓋体の取付構造を示す断面模式図であり、（ａ）は図３のＶＩＩ（ａ）−ＶＩＩ（ａ）断面を示し、（ｂ）は図３のＶＩＩ（ｂ）−ＶＩＩ（ｂ）断面を示す。
【図８】本発明の実施形態に係る光源ケースのケース本体と第１の蓋体及び蛍光板カバーの取付構造を示す、図３のＶＩＩＩ−ＶＩＩＩ断面模式図である。
【発明を実施するための形態】
【００１３】
以下、本発明を実施するための形態について説明する。図１は、投影装置１０の外観斜視図である。本実施形態の投影装置１０は、筐体上１０ａ及び筐体下１０ｂを備える。投影装置１０の筐体の側板である正面パネル１２、背面パネル１３、右側パネル１４、及び左側パネル１５は、筐体上１０ａの外周縁から下方に向かって立設する。各パネル１２〜１５の下端は、筐体下１０ｂの外周縁と当接する。したがって、投影装置１０は、筐体上１０ａと筐体下１０ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１４】
投影装置１０の筺体の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。投影画像調整部１１ａは、一つ又は複数の回動摘みを備える。この回動摘みを操作することにより、図４で後述する投影側光学系の可動レンズの位置が調節され、投影画像の大きさやピントの調節が行われる。また、投影装置１０は、図示しないが、リモートコントローラからの制御信号を受信するＩｒ受信部を備えている。
【００１５】
正面パネル１２と右側パネル１４の前方右側の角部５０１には、吸気孔３１０が設けられる。正面パネル１２の左側には、すり鉢状に窪んだ光出射部１２ａが設けられる。この光出射部１２ａの左側パネル１５側の内壁には、吸気孔３２０が形成される。投影装置１０は、光出射部１２ａに、投影口１２ｂと、投影口１２ｂを覆うレンズカバー１９を有する。
【００１６】
正面パネル１２の下端には、高さ調節ボタン１２ｃが設けられる。投影装置１０は、正面パネル１２側の内部に支脚を備える。投影装置１０は、高さ調節ボタン１２ｃが押下されている間、下方からその支脚を出没させることができる。よって、使用者は、高さ調節ボタン１２ｃを操作することにより支脚を任意の出代量で固定し、投影装置１０の高さや傾きを調節することができる。
【００１７】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部５０３に吸気孔３３０が形成され、左側パネル１５側の角部５０４にも排気孔３４０が形成される。
【００１８】
次に、投影装置１０の投影装置制御部について図２の機能ブロック図を用いて説明する。投影装置制御部は、制御部３８、入出力インターフェース２２、画像変換部２３、表示エンコーダ２４、表示駆動部２６等から構成される。
【００１９】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２０】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２１】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２２】
表示駆動部２６は、表示エンコーダ２４から出力された画像信号に対応して適宜フレームレートで空間的光変調素子（ＳＯＭ）である表示素子５１を駆動するものである。
【００２３】
投影装置１０は、光源装置６０から出射された光源光の光線束を、後述する導光光学系を介して表示素子５１に照射することにより、表示素子５１の反射光で光像（画像）を形成する。投影装置１０は、その形成した光像を同じく後述する投影側光学系を介してスクリーンに投影し、画像を表示させる。なお、この投影側光学系の可動レンズ群２３５は、レンズモータ４５によりズーム調整やフォーカス調整のための駆動が行われる。
【００２４】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２５】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２６】
筺体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２７】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００２８】
また、制御部３８は、光源制御手段としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００２９】
制御部３８は、冷却ファン駆動制御回路４３に光源装置６０等に設けた複数の温度センサによる温度検出を行わせ、この温度検出の結果から冷却ファンの回転速度を制御させている。また、制御部３８は、投影装置１０の電源をＯＦＦにする指示を受けると、冷却ファン駆動制御回路４３にタイマーを用いて投影装置１０本体の電源ＯＦＦ後も冷却ファンの回転を持続させたり、温度センサによる温度検出の結果に応じて投影装置１０本体の電源を切るタイミングを定める等の制御を行うことができる。
【００３０】
次に、図３及び図４に基づいて、投影装置１０の内部構造について述べる。図３は、投影装置１０の内部構造を示す平面模式図である。投影装置１０は、電源装置３０１、制御回路基板３０２、光源装置６０を備える。また、投影装置１０は、冷却ファンとして、吸気ファン２６０、吸気ファン２７０、排気ファン２８０を備える。
【００３１】
光源装置６０は、投影装置１０の筐体の略中央に配置される。光源装置６０は、光源ケース６１によって、内部に光源装置等の電子機器、レンズ、ミラー等の光学部材等の精密機器を収容する。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３２】
ここで、光源装置６０の内部構造について説明する。図４は、光源装置６０の光源ケース６１の蓋体とされる第１の蓋体６２と第２の蓋体６３を省略して示す平面模式図である。光源装置６０は、赤色波長帯域光の光源である赤色光源装置１２０と、緑色波長帯域光の光源である緑色光源装置８０と、青色波長帯域光の光源である青色光源装置であると共に励起光源でもある励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３３】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する複数の青色レーザダイオード７１である。また、複数の青色レーザダイオード７１は、右側パネル１４と平行に並べて配置されている。これら青色レーザダイオード７１は、ホルダ７４に固定される。
【００３４】
また、励起光照射装置７０は、反射ミラー７６、拡散板７８、ヒートシンク８１を備える。反射ミラー７６は、各青色レーザダイオード７１からの出射光の光軸を拡散板７８に向けて略９０度変換する。拡散板７８は、反射ミラー７６で反射した各青色レーザダイオード７１からの出射光を予め定められた拡散角度で拡散する。図３に示すように、ヒートシンク８１は、青色レーザダイオード７１と右側パネル１４との間に配置される。
【００３５】
図４に戻り、各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１とともにホルダ７４に保持される。
【００３６】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を出射する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３７】
緑色光源装置８０を構成する蛍光板装置１００は、蛍光板１０１、モータ１１０、入射側の集光レンズ１１７ａ，１１７ｂ、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ１１７ａ，１１７ｂは、励起光照射装置７０から出射される励起光の光線束を蛍光板１０１に集光する。集光レンズ１１５は、蛍光板１０１から正面パネル１２方向に出射される光線束を集光する。なお、蛍光板装置１００は、集光レンズ１１７ａ，１１７ｂ，１１５の上方に配置される。そのため、蛍光板１０１の下方の一部が集光レンズ１１７ａ，１１７ｂ，１１５の光路上に配置される。
【００３８】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３９】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１が反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００４０】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、集光レンズ１７３が配置される。第二ダイクロイックミラー１４８により反射された赤色波長帯域光及び緑色波長帯域光は、集光レンズ１７３に入射する。
【００４１】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４２】
光源側光学系１７０は、集光レンズ１７３、ライトトンネルやガラスロッド等の導光装置１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４３】
集光レンズ１７３から出射した各光線束は、導光装置１７５に入射する。導光装置１７５に入射される各光線束は、導光装置１７５により均一な強度分布の光線束となる。
【００４４】
導光装置１７５の背面パネル１３側の光軸上には、集光レンズ１７８を介して、光軸変換ミラー１７９が配置されている。導光装置１７５の出射口から出射した光線束は、集光レンズ１７８で集光された後、光軸変換ミラー１７９により、集光レンズ１８３に向かう光軸に変換される。
【００４５】
光軸変換ミラー１７９で反射した光線束は、集光レンズ１８３により集光された後、照射ミラー１８５により、コンデンサレンズ１９５を介して表示素子５１に所定の角度で照射される。なお、表示素子５１の背面パネル１３側にはヒートシンク１９０が設けられている。ＤＭＤとされる表示素子５１は、このヒートシンク１９０により冷却される。また、ヒートシンク１９０の後方に形成されたフィン１９１の板面は、上下方向に対して垂直に形成される。
【００４６】
光源側光学系１７０により表示素子５１の画像形成面に照射された光源光である光線束は、表示素子５１の画像形成面で反射され、投影光として投影側光学系２２０を介してスクリーンに投影される。
【００４７】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４８】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介して導光装置１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００４９】
次に、光源装置６０における防塵ケースとされる光源ケース６１について、詳細に説明する。図５に示すように、光源ケース６１のケース本体６００は、本実施形態においては、アルミダイカストにより一体に形成される。ケース本体６００は、主に底面と側面が形成され、上面は開放される。光源ケース６１は、図５に示すケース本体６００に、図６に示す蓋体（第１の蓋体６２、第２の蓋体６３）がケース本体６００の上面に取り付けられて形成される。なお、図５におけるケース本体６００は、集光レンズや導光装置等の光学部材等を配置する構造を一部省略して示している。
【００５０】
ケース本体６００は、平面視略Ｌ字状に形成される第１のケース本体６１０と、略立方体形状の第２のケース本体６２０と、を有する。第１のケース本体６１０における略Ｌ字の短辺側端部に相当する位置の側面には、長矩形の開口部６１１が形成される。開口部６１１の外周には略長矩形状の環状のフランジ部６１１ａが形成される。この開口部６１１に励起光照射装置７０（図３及び図４参照）が取り付けられ収容される。
【００５１】
第１のケース本体６１０における略Ｌ字の長辺内側の側面に相当する位置には、略矩形の開口部６１２が形成される。この開口部６１２に赤色光源装置１２０（図３及び図４参照）が取り付けられ収容される。第１のケース本体６１０の内部には、略Ｌ字の長辺と略平行に仕切壁６１３が形成される。第１のケース本体６１０は、仕切壁６１３よりも開口部６１１，６１２側に、図４に示す反射ミラー７６や拡散板７８、第一ダイクロイックミラー１４１等の導光光学系１４０の一部が配置される。また、図４に示すように、集光レンズ１４６，１４９は仕切壁６１３と略平行な略同一平面上に配置される。仕切壁６１３よりも第２のケース本体６２０側には、導光装置１７５等の光源側光学系１７０の一部が配置される。
【００５２】
図５に示すように、第１のケース本体６１０の略Ｌ字の角部外側に相当する位置には、第２のケース本体６２０が接続して設けられ、その接続部には開口部６２１が形成される。この開口部６２１を介して、図４に示す光軸変換ミラー１７９から集光レンズ１８３への光路が形成される。第２のケース本体６２０には、集光レンズ１８３や照射ミラー１８５等が配置される。第２のケース本体６２０の正面側となる一側面には、円形の開口部６２２が形成される。開口部６２２の外周には、略矩形環状にリブ６２２ａが形成される。
【００５３】
開口部６２２には、可動レンズ群２３５を収める投影側光学系２２０の可動鏡筒が取り付けられる。一方、第２のケース本体６２０の開口部６２２の反対側の一側面には、矩形の開口部６２３が形成される。この開口部６２３には、表示素子５１が取り付けられる。開口部６１１，６１２，６２２，６２３と各色光源装置や表示素子５１等の電子機器の取付部は、Ｏリング等のパッキンを用いて適宜シーリングされる。
【００５４】
ケース本体６００の第１のケース本体６１０及び第２のケース本体６２０の外周部における上部には、図６で後述する蓋体（第１の蓋体６２、第２の蓋体６３）が載置される蓋体載置面（第１の蓋体載置面６１５、第２の蓋体載置面６２５）が形成される。第１の蓋体載置面６１５、第２の蓋体載置面６２５は、それぞれ連続した平坦面として上面視環状に形成される。第１の蓋体載置面６１５、第２の蓋体載置面６２５には、所定の間隔で適宜複数の螺子穴６１６，６２６が設けられる。
【００５５】
なお、第１のケース本体６１０における仕切壁６１３の上部平坦面は、第１の蓋体載置面６１５と連続した平坦面とされる。これにより、第１の蓋体６２の下面と当接して第１の蓋体６２を支持することができる。
【００５６】
第１の蓋体載置面６１５及び第２の蓋体載置面６２５それぞれの外周側には、第１の蓋体載置面６１５及び第２の蓋体載置面６２５に対して垂直に立設する壁部である第１の壁部６１７、第２の壁部６２７が形成される。第１の壁部６１７及び第２の壁部６２７は、それぞれ上面視において環状とされて、第１の蓋体載置面６１５及び第２の蓋体載置面６２５に沿って形成される。
【００５７】
なお、第１の壁部６１７及び第２の壁部６２７は、図７（ａ），（ｂ）、図８に示すように、第１の蓋体載置面６１５及び第２の蓋体載置面６２５よりも若干上方に突出する直立の壁状に形成されるが、一部は他の部位と共用して形成される。例えば、図５に示す第１のケース本体６１０と第２のケース本体６２０との接続部位においては、第１の蓋体載置面６１５ａに対応する壁部として、第２のケース本体６２０における第１のケース本体６１０側の一側面と共用される第１の壁部６１７ａが形成される。また、励起光照射装置７０が装着される開口部６１１のフランジ部６１１ａの背面の一部は、段状に形成されて、第１の蓋体載置面６１５ｂに対応する第１の壁部６１７ｂが形成される（図４参照）。
【００５８】
また、第１の蓋体載置面６１５と第１の壁部６１７との間、及び、第２の蓋体載置面６２５と第２の壁部６２７との間には、それぞれ溝６１８，６２８が形成される箇所がある。
【００５９】
次に、図６に基づいて、蓋体である第１の蓋体６２及び第２の蓋体６３を説明する。第１の蓋体６２及び第２の蓋体６３には、それぞれ薄板状の鉄板で形成される蓋体本体（第１の蓋体本体６２ａ、第２の蓋体本体６３ａ）の外周に、例えばシリコンゴムとされる弾性部６２ｂ，６３ｂが形成される。本実施形態においては、第１の蓋体６２及び第２の蓋体６３は、インサート成形により第１の蓋体本体６２ａと弾性部６２ｂ及び第２の蓋体本体６３ａと弾性部６３ｂがそれぞれ一体的に形成される。
【００６０】
第１の蓋体６２及び第２の蓋体６３は、それぞれケース本体６００の第１のケース本体６１０及び第２のケース本体６２０の開口形状に合わせた外形形状とされる。従って、図６に示すように、第１の蓋体６２及び第２の蓋体６３の外形形状（すなわち、第１の蓋体本体６２ａ、第２の蓋体本体６３と弾性部６２ｂ，６３ｂ）は、複数の直線部ＳＬや複数の角部ＣＬが組み合わされて形成される。
【００６１】
また、第１の蓋体６２の第１の蓋体本体６２ａには、孔部６２ｃが形成される。この孔部６２ｃは、緑色光源装置８０の蛍光板装置１００に対応して開口される開口部であり、二点鎖線で示す蛍光板カバー１０２が取り付けられる（図３及び図４も参照）。第１の蓋体本体６２ａの内側における孔部６２ｃの外周には、両端が弾性部６２ｂと接続する接続弾性部６２ｄが形成される。接続弾性部６２ｄは、弾性部６２ｂと同様に例えばシリコンゴムで形成されて、弾性部６２ｂの射出成形時に同時に形成される。
【００６２】
また、第１の蓋体本体６２ａ及び第２の蓋体本体６３ａにおける各弾性部６２ｂ，６３ｂよりも内側には、適宜複数のボルト孔６２ｅ，６３ｅが形成される。第１の蓋体６２及び第２の蓋体６３は、ボルト孔６２ｅ，６３ｅを介して螺子穴６１６，６２６と螺合されるボルト６４（図３参照）により、それぞれケース本体６００の第１のケース本体６１０及び第２のケース本体６２０に取り付けられる。
【００６３】
次に、図７（ａ），（ｂ）及び図８に基づいて、第１の蓋体６２が第１のケース本体６１０に取付けられる様子を示す。なお、第２の蓋体６３が第２のケース本体６２０に取付けられる状態は、図７（ａ），（ｂ）に示す第１の蓋体６２の取付状態と同様である。
【００６４】
図７（ａ）に示すように、第１の蓋体載置面６１５上には、第１の蓋体本体６２ａの下面が当接するように第１の蓋体６２が載置される。一方、第１の蓋体６２の弾性部６２ｂには、第１の蓋体６２の外方向に膨出する膨出部６２ｂ１が形成される。そして、第１の蓋体６２を第１のケース本体６１０に取付けた状態では、膨出部６２ｂ１と第１の壁部６１７の内側面６１７ｃが当接して当接部６５が形成される。このとき、当接部６５における膨出部６２ｂ１は、第１の壁部６１７の内側面６１７ｃから側圧を受けて押し潰されている。そして、この当接部６５は、第１の蓋体６２の外周端面部６２ａ１よりも、図７における上方（換言すれば、第１の壁部６１７の端部側である開放側）に形成される。
【００６５】
ここで、板金部材である第１の蓋体本体６２ａは、外形形状を高精度に形成することが難しい。従って、外周端面部６２ａ１と、外周端面部６２ａ１に対向する第１の壁部６１７の内側面６１７ｃの部位と、の間（図７におけるＡ−Ａで示す領域）に当接部６５を形成した場合には、外周端面部６２ａ１と第１の壁部６１７の内側面６１７ｃとの間の距離が場所によって異なるため、弾性部６２ｂの潰し量が場所によって変化してしまい、当接部６５の気密性に影響を及ぼしてしまうことがある。しかしながら、本実施形態のように、当接部６５を外周端面部６２ａ１から外した位置に形成しておけば、第１の蓋体本体６２ａの外形形状の精度に影響されることなく、当接部６５における弾性部６２ｂの潰し量が弾性部６２ｂの全周で均一にすることができる。さらに、当接部６５を第１の壁部６１７の端部側である開放側とすることで、当接部６５における弾性部６２ｂの押し潰しによる変形が規制されることがない。
【００６６】
また、図６に示すように、第１の蓋体６２及び第２の蓋体６３の弾性部６２ｂ，６３ｂにおける直線部ＳＬには、この直線部ＳＬの長手方向に所定の間隔で複数のリブ６２ｂ２，６３ｂ２が形成される。より詳細には、図７（ａ），（ｂ）に示すように、リブ６２ｂ２は、弾性部６２ｂの内側において、膨出部６２ｂ１と、弾性部６２ｂが第１の蓋体本体６２ａと接続する基部と、を接続するよう形成される。従って、弾性部６２ｂにおいて、リブ６２ｂ２が形成される部分は、リブ６２ｂ２が形成されない部分に比べて断面積が大きい。このようにして、弾性部６２ｂ，６３ｂは、直線部ＳＬの断面積が角部ＣＬの断面積より大きくなるように、断面積を周方向に変化して形成される。本実施形態においては、弾性部６２ｂ，６３ｂは、角部ＣＬと直線部ＳＬを含んで形成されるが、角部ＣＬにおける弾性部６２ｂ，６３ｂは弾性材料が密となるため直線部ＳＬにおける弾性部６２ｂ，６３ｂよりも弾性変形し難くなる。すると、直線部ＳＬにおける当接部６５の密着力は、角部ＣＬにおける当接部６５の密着力よりも低くなることが懸念される。しかしながら、本実施形態においては、弾性部６２ｂ，６３ｂに複数のリブ６２ｂ２，６３ｂ２を形成してリブ６２ｂ２，６３ｂ２が形成された弾性部６２ｂ，６３ｂの断面積を角部ＣＬにおける弾性部６２ｂ，６３ｂの断面積より大きくすることにより、複数のリブ６２ｂ２，６３ｂ２により直線部ＳＬにおける膨出部６２ｂ１，６３ｂ１を当接部６５と対向する側から膨出部６２ｂ１，６３ｂ１を支持することができるので、直線部ＳＬにおける当接部６５の密着力と角部ＣＬにおける当接部６５の密着力とを同等とすることができる。
【００６７】
なお、本実施形態においては、複数のリブ６２ｂ２，６３ｂ２を形成することにより弾性部６２ｂ，６３ｂの断面積を周方向に変化させたが、これに限られず、例えば弾性部６２ｂ，６３ｂの断面積を周方向に漸次変化するよう形成することもできる。また、本実施形態では、図７（ａ），（ｂ）に示すように、弾性部６２ｂは、第１の蓋体本体６２ａの上面、下面及び外周端面部６２ａ１に固着するように形成されるが、これに限られず、第１の蓋体本体６２ａの下面側を省略して、第１の蓋体本体６２ａ及び外周端面部６２ａ１に固着するように取付けても良い。
【００６８】
また、図８に示すように、第１の蓋体６２の孔部６２ｃに設けられる蛍光板カバー１０２は、蛍光板カバー１０２における下方の開口部の縁にフランジ状の開口縁１０２ａが形成される。開口縁１０２ａの下端面１０２ａ１は、この下端面１０２ａ１と対向する弾性部６２ｂ及び接続弾性部６２ｄと当接する。ここで、接続弾性部６２ｄは、断面が凸形状に形成される。すなわち、詳細には、蛍光板カバー１０２の開口縁１０２ａの下端面１０２ａ１は、接続弾性部６２ｄの突端部６２ｄ１と当接する。接続弾性部６２ｄの突端部６２ｄ１は開口縁１０２ａの下端面１０２ａ１により潰されて密着する。
【００６９】
一方、開口縁１０２ａの下端面１０２ａ１と対向する弾性部６２ｂは、弾性部６２ｂの膨出部６２ｂ１における上部と当接する。膨出部６２ｂ１の上部は開口縁１０２ａの下端面１０２ａ１により潰されて密着する。
【００７０】
以上の本発明の実施形態によれば、防塵ケースとされる光源ケース６１は、外周部に形成される蓋体載置面（第１の蓋体載置面６１５、第２の蓋体載置面６２５）と、蓋体載置面の外周側に形成される壁部（第１の壁部６１７、第２の壁部６２７）とを有するケース本体６００（第１のケース本体６１０、第２のケース本体６２０）と、弾性部６２ｂ，６３ｂの断面が周方向に変化した蓋体（第１の蓋体６２、第２の蓋体６３）とを備える。即ち、蓋体載置面（第１の蓋体載置面６１５、第２の蓋体載置面６２５）に載置された蓋体（第１の蓋体６２、第２の蓋体６３）は、複数の角部（角部ＣＬ相当部分）を有する蓋体本体（第１の蓋体本体６２ａ、第２の蓋体本体６３ａ）と、蓋体本体（第１の蓋体本体６２ａ、第２の蓋体本体６３ａ）の外周に形成され壁部（第１の壁部６１７、第２の壁部６２７）の内側面と当接した弾性部６２ｂ，６３ｂと、を有し、弾性部６２ｂ，６３ｂは、周方向の形状に複数の角部（角部ＣＬ相当部分）と直線部（直線部ＳＬ相当部分）とを含み、弾性部６２ｂ，６３ｂの周方向の断面積は、直線部より角部の方が小さい。
【００７１】
これにより、弾性部６２ｂ，６３ｂが第１の壁部６１７、第２の壁部６２７の各内側面と当接する当接部６５の密着力が、弾性部６２ｂ，６３ｂの場所によらず略均一にすることができる。従って、防塵性能を高めた、各色光源装置等の電子機器や集光レンズ等の光学部材等の精密機器が収容される光源ケース６１である防塵ケースを提供することができる。
【００７２】
そして、集光レンズ等の光学部材は、第１の蓋体６２、第２の蓋体６３により上方から押圧されて、光源ケース６１の底面と第１の蓋体６２、第２の蓋体６３により挟持されるように固定される。このとき、第１の蓋体載置面６１５、第２の蓋体載置面６２５と第１の蓋体６２、第２の蓋体６３との間には、防塵のためのＯリング等の弾性部材が配置されていないので、精度よく、第１の蓋体６２、第２の蓋体６３により光学部材を固定することができる。
【００７３】
また、当接部６５は、第１の蓋体本体６２ａ及び第２の蓋体本体６３ａの外周端面部（６２ａ１）よりも上方に位置する。これにより、第１の蓋体本体６２ａ及び第２の蓋体本体６３ａの外形形状の精度に関わらず、当接部６５の密着力を均一にすることができるので、防塵性能を高めた光源ケース６１としての防塵ケースを提供することができる。
【００７４】
また、弾性部６２ｂ，６３ｂは、角部ＣＬや直線部ＳＬを含み、周方向の断面積が角部ＣＬよりも直線部ＳＬの方が大きくなるよう形成される。即ち、弾性部の直線部ＳＬには、直線部ＳＬの長手方向に所定の間隔で複数のリブまたは厚肉部が形成されている。これにより、密着力が弱くなり易い直線部ＳＬの密着力を強めることができるので、複雑形状の光源ケース６１であっても安定した防塵性能を発揮させることができる。また、リブ６２ｂ２，６３ｂ２により弾性部６２ｂ，６３ｂの断面積を変化させることにより、当接部６５における密着力の設計を容易とすることができる。
【００７５】
また、弾性部６２ｂ，６３ｂは、外方向に膨出する膨出部（６２ｂ１）が形成されて、この膨出部（６２ｂ１）と第１の壁部６１７、第２の壁部６２７の各内側面（６１７ａ）が当接する。これにより、均一な密着力の当接部６５を容易に形成することができる。
【００７６】
また、第１の蓋体６２は、孔部６２ｃを備え、孔部６２ｃの外周部には、弾性部６２ｂと接続して断面が凸状に形成される接続弾性部６２ｄが形成される。これにより、光源ケース６１から突出する機器である蛍光板装置１００を備える場合であっても、蛍光板カバー１０２と第１の蓋体６２との防塵性を高めることができるので、孔部６２ｃからの塵の侵入を低減することができる。
【００７７】
また、光源装置６０は、光源ケース６１に収容される各色光源装置（赤色光源装置１２０、緑色光源装置８０、青色光源装置（励起光照射装置７０））を有し、複数の光学部材を有して各色光源装置からの光を導光する導光光学系１４０と、を備える。これにより、防塵性能を高めた防塵ケースとしての光源ケース６１を備える光源装置６０を提供することができる。
【００７８】
そして、投影装置１０は、光源ケース６１を備える光源装置６０と、光源装置６０からの光源光が照射され、画像光を形成する表示素子５１と、表示素子５１から出射された画像光をスクリーンに投影する投影側光学系２２０と、表示素子５１と光源装置６０を制御する投影装置制御部とを有する。これにより、防塵性能を高めた投影装置を提供することができる。
【００７９】
なお、以上説明した各実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８０】
以下に、本願出願の最初の特許請求の範囲に記載された発明を付記する。
［１］外周部に形成される蓋体載置面と、前記蓋体載置面の外周側に形成される壁部と、を有するケース本体と、
複数の角部を有する蓋体本体と、前記蓋体本体の外周に形成され前記壁部の内側面と当接した弾性部と、を有し、前記蓋体載置面に載置された蓋体と、
を備え、
前記弾性部は、周方向の形状に前記複数の角部と直線部とを含み、
前記弾性部の周方向の断面積は、前記直線部より前記角部の方が小さいことを特徴とする防塵ケース。
［２］前記壁部の内側面と前記弾性部が当接する当接部は、前記蓋体本体の外周端面部よりも上方に位置することを特徴とする前記［１］に記載の防塵ケース。
［３］前記弾性部の前記直線部には、前記直線部の長手方向に所定の間隔で複数のリブまたは厚肉部が形成されていることを特徴とする前記［１または前記［２］に記載の防塵ケース。
［４］前記弾性部は、外方向に膨出する膨出部が形成されて、該膨出部と前記壁部の前記内側面が当接することを特徴とする前記［１］乃至前記［３］の何れか記載の防塵ケース。
［５］前記蓋体は孔部が形成され、
前記孔部の外周部には、前記弾性部と接続して断面が凸状に形成される接続弾性部が形成されていることを特徴とする前記［１］乃至前記［４］の何れか記載の防塵ケース。
［６］前記［１］乃至前記［５］の何れか記載の防塵ケースと、
前記防塵ケース内に設けられた、光源と、複数の光学部材を有して前記光源からの光を導光する導光光学系と、
を備えることを特徴とする光源装置。
［７］前記［６］に記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を備えることを特徴とする投影装置。
【符号の説明】
【００８１】
１０        投影装置                      １０ａ      筐体上
１０ｂ      筐体下                        １１        上面パネル
１１ａ      投影画像調整部                １２        正面パネル
１２ａ      光出射部                      １２ｂ      投影口
１２ｃ      高さ調節ボタン                １３        背面パネル
１４        右側パネル                    １５        左側パネル
１９        レンズカバー                  ２０        端子
２１        入出力コネクタ部              ２２        入出力インターフェース
２３        画像変換部                    ２４        表示エンコーダ
２５        ビデオＲＡＭ                  ２６        表示駆動部
３１        画像圧縮／伸長部              ３２        メモリカード
３５        Ｉｒ受信部                    ３６        Ｉｒ処理部
３７        キー／インジケータ部          ３８        制御部
４１        光源制御回路                  ４３        冷却ファン駆動制御回路
４５        レンズモータ                  ４７        音声処理部
４８        スピーカ                      ５１        表示素子
６０        光源装置                      ６１        光源ケース
６２        第１の蓋体                    ６２ａ      第１の蓋体本体
６２ａ１    外周端面部                    ６２ｂ      弾性部
６２ｂ１    膨出部                        ６２ｂ２    リブ
６２ｃ      孔部                          ６２ｄ      接続弾性部
６２ｄ１    突端部                        ６２ｅ      ボルト孔
６３        第２の蓋体                    ６３ａ      第２の蓋体本体
６３ｂ      弾性部                        ６３ｂ１    膨出部
６３ｂ２    リブ                          ６３ｅ      ボルト孔
６４        ボルト                        ６５        当接部
７０        励起光照射装置                ７１        青色レーザダイオード
７３        コリメータレンズ              ７４        ホルダ
７６        反射ミラー                    ７８        拡散板
８０        緑色光源装置
８１        ヒートシンク                  １００      蛍光板装置
１０１      蛍光板                        １０２      蛍光板カバー
１０２ａ    開口縁                        １０２ａ１  下端面
１１０      モータ                        １１５      集光レンズ
１１７ａ    集光レンズ                    １１７ｂ    集光レンズ
１２０      赤色光源装置                  １２１      赤色光源
１２５      集光レンズ群                  １３０      ヒートシンク
１４０      導光光学系                    １４１      第一ダイクロイックミラー
１４３      第一反射ミラー                １４５      第二反射ミラー
１４６      集光レンズ                    １４７      集光レンズ
１４８      第二ダイクロイックミラー      １４９      集光レンズ
１７０      光源側光学系                  １７３      集光レンズ
１７５      導光装置                      １７８      集光レンズ
１７９      光軸変換ミラー                １８３      集光レンズ
１８５      照射ミラー                    １９０      ヒートシンク
１９１      フィン                        １９５      コンデンサレンズ
２２０      投影側光学系                  ２２５      固定レンズ群
２３５      可動レンズ群                  ２６０      吸気ファン
２７０      吸気ファン                    ２８０      排気ファン
３０１      電源装置                      ３０２      制御回路基板
３１０      吸気孔                        ３２０      吸気孔
３３０      吸気孔                        ３４０      排気孔
５０１      角部                          ５０３      角部
５０４      角部                          ６００      ケース本体
６１０      第１のケース本体              ６１１      開口部
６１１ａ    フランジ部                    ６１２      開口部
６１３      仕切壁                        ６１５      第１の蓋体載置面
６１５ａ    第１の蓋体載置面              ６１５ｂ    第１の蓋体載置面
６１６      螺子穴                        ６１７      第１の壁部
６１７ａ    第１の壁部                    ６１７ｂ    第１の壁部
６１７ｃ    内側面
６１８      溝                            ６２０      第２のケース本体
６２１      開口部                        ６２２      開口部
６２２ａ    リブ                          ６２３      開口部
６２５      第２の蓋体載置面              ６２６      螺子穴
６２７      第２の壁部                    ６２８      溝
ＣＬ        角部                          ＳＬ        直線部
【図１】
2019061018.tif 000003
【図２】
2019061018.tif 000004
【図３】
2019061018.tif 000005
【図４】
2019061018.tif 000006
【図５】
2019061018.tif 000007
【図６】
2019061018.tif 000008
【図７】
2019061018.tif 000009
【図８】
2019061018.tif 000010